(57)【要約】【課題】粉粒体を投入する際に粉粒体からの粉塵が装置外部へ飛散して発塵するのを良好に防止又は抑制できるとともに、コンパクトな構造で、低コストで製造でき、粉粒体の切出し装置を提供することにある。【解決手段】粉粒体を投入する内部空間１８を有し、上端に投入口２０が開口されるとともに、下端に排出口２２が開口されたホッパ体１２と、ホッパ体１２の内部空間１８に配置され、投入される粉粒体の落下空隙３２を形成し、任意の立体形状で中空に形成された中空体で表面にフィルタが設けられた粉粒体の粉塵吸引用の立体形状フィルタ１４と、立体形状フィルタ１４に連通接続されて立体形状フィルタ１４の表面に粉塵を担持させる吸引装置１６と、を含む粉粒体の切出し装置１０から構成される。【選択図】図１
2014118215.tif 000002
【特許請求の範囲】
【請求項１】
粉粒体を投入する内部空間を有し、上端に投入口が開口されるとともに、下端に排出口が開口されたホッパ体と、
ホッパ体の内部空間に配置され、投入される粉粒体の落下空隙を形成し、任意の立体形状で中空に形成された中空体で表面にフィルタが設けられた粉粒体の粉塵吸引用の立体形状フィルタと、
立体形状フィルタに連通接続されて立体形状フィルタの表面に粉塵を担持させる吸引装置と、を含むことを特徴とする粉粒体の切出し装置。
【請求項２】
粉粒体の投入上流側であって立体形状フィルタの上方位置に、上から下に向けて流れ落ちる粉粒体が立体形状フィルタに直接当たるのを防ぐカバー体が設けられたことを特徴とする請求項１記載の粉粒体の切出し装置。
【請求項３】
カバー体は、山形状に形成されて立体形状フィルタの上方に配置される山形状板と、山形状板の下端から略鉛直方向に直状に延設された側板と、を有する山形状カバー部材からなることを特徴とする請求項２記載の粉粒体の切出し装置。
【請求項４】
立体形状フィルタは、横方向を長手方向として設けられ、一端側を吸引装置に連通接続した筒状フィルタからなることを特徴とする請求項１ないし３のいずれかに記載の粉粒体の切出し装置。
【請求項５】
筒状フィルタは、中空筒状に形成される濾布と、
濾布の筒状内側に配置され、濾布を所定の筒状形状に保持する剛性素材製の保形部材と、で構成されたことを特徴とする請求項４記載の粉粒体の切出し装置。
【請求項６】
立体形状フィルタの内部に連通状態で噴出口を向けられたノズルとノズルに圧縮空気を送る圧縮機とを含み、
立体形状フィルタ内部に圧縮空気を所定の短時間だけ噴出させて該立体形状フィルタに担持された粉塵を離脱させて下に落とす離脱落下機構を備えたことを特徴とする請求項１ないし５のいずれかに記載の粉粒体の切出し装置。
【発明の詳細な説明】
【技術分野】
【０００１】
本発明は、例えば、穀物等の食料や家畜飼料、セメント等の粉粒体を搬送装置や貯留装置等に供給する粉粒体の切出し装置に関する。
【背景技術】
【０００２】
小麦等の穀物やセメント等の粉粒体は取り扱いや運搬を便利にするために紙製や合成樹脂製の袋体に小分けされる場合がある。袋体から粉粒体をベルトコンベア、チェーンコンベア等の搬送装置やサイロ等の貯留装置や混合装置等に投入する際には、粉粒体中の微細な粒子いわゆる粉塵が大量に発生しやすい。大量の粉塵が発生して作業者側空間まで飛散すると、粉塵を作業者が吸込んだり作業者の目に入ったりして健康に悪影響を及ぼしたり、視界が奪われたりして円滑な作業が妨げられるうえ、粉塵爆発の危険性も高くなる。さらに、周囲の床や設備に粉塵が付着したり堆積して、清掃の必要が生じたり設備機器類の故障の原因となる等の様々な問題があった。
【０００３】
特許文献１には、ホッパを介した粉塵の逆流を防止することを目的とした粉塵防止機能付ホッパ装置が提案されている。特許文献１のホッパ装置では、粉粒体が投入される投入口、およびこの投入口と連通する排出口、ならびにこの排出口に並設された粉塵吸引口を有するホッパ部と、粉塵吸引口を介して吸引を行うとともに吸引した粉塵を集塵する吸引集塵装置とを備えている。
【先行技術文献】
【特許文献】
【０００４】
【特許文献１】特開２００５−２６３４６８号公報
【発明の概要】
【発明が解決しようとする課題】
【０００５】
しかしながら、特許文献１のホッパ装置では、粉粒体が投入されるホッパ部とは別に大型の吸引集塵装置を設ける構成であるので装置全体として極めて大型化し場所をとるうえ、コストも高くつく問題があった。また、装置の大型化に伴って、粉粒体の投入作業やメンテナンス作業を含む作業性が悪く、作業中の事故の危険性も高かった。さらに、粉塵吸引口は横向きに開口した構造であるから、粉粒体からの粉塵が下から上に上昇する粉塵を吸引する効率が比較的悪く、該粉塵がホッパ部の中央を通って投入口から逆流して外部に飛散してしまうおそれがあることから、作業環境の悪化、作業者の健康被害、粉塵爆発等の問題を十分には解決できないおそれがあった。また、吸込み効率を向上させるために、吸引集塵部の吸引ファンの能力を高くすると、さらに装置の大型化や部材コストが高くなるとともに、消費電力コストも高く問題があった。
【０００６】
本発明は上記従来の課題に鑑みてなされたものであり、その一つの目的は、粉粒体を投入する際に粉粒体からの粉塵が装置外部へ飛散して発塵するのを良好に防止又は抑制できるとともに、コンパクトな構造で、低コストで製造できる粉粒体の切出し装置を提供することにある。
【課題を解決するための手段】
【０００７】
上記課題を解決するために本発明は、粉粒体を投入する内部空間１８を有し、上端に投入口２０が開口されるとともに、下端に排出口２２が開口されたホッパ体１２と、ホッパ体１２の内部空間１８に配置され、投入される粉粒体の落下空隙３２を形成し、任意の立体形状で中空に形成された中空体で表面にフィルタが設けられた粉粒体の粉塵吸引用の立体形状フィルタ１４と、立体形状フィルタ１４に連通接続されて立体形状フィルタ１４の表面に粉塵を担持させる吸引装置１６と、を含む粉粒体の切出し装置１０から構成される。
【０００８】
また、粉粒体の投入上流側であって立体形状フィルタ１４の上方位置に、上から下に向けて流れ落ちる粉粒体が立体形状フィルタ１４に直接当たるのを防ぐカバー体５０が設けられたこととしてもよい。カバー体５０は、立体形状フィルタ１４の少なくともの上方をカバーするように設けてもよい。
【０００９】
また、カバー体５０は、山形状に形成されて立体形状フィルタ１２の上方に配置される山形状板５２と、山形状板の下端から略鉛直方向に直状に延設された側板５４と、を有する山形状カバー部材からなることとしてもよい。
【００１０】
また、立体形状フィルタ１４は、横方向を長手方向として設けられ、一端側を吸引装置１６に連通接続した筒状フィルタ３４からなることとしてもよい。立体形状フィルタ１４と吸引装置１６とは直接的に連通接続してもよいし、配管やチャンバ等を介して間接的に連通接続してもよい。
【００１１】
また、筒状フィルタ３４は、中空筒状に形成される濾布４６と、濾布４６の筒状内側に配置され、濾布４６を所定の筒状形状に保持する剛性素材製の保形部材４８と、で構成されたこととしてもよい。
【００１２】
また、立体形状フィルタ１４の内部に連通状態で噴出口を向けられたノズル６０とノズル６０に圧縮空気を送る圧縮機６２とを含み、立体形状フィルタ１４内部に圧縮空気を所定の短時間だけ噴出させて該立体形状フィルタ１４に担持された粉塵を離脱させて下に落とす離脱落下機構５８を備えたこととしてもよい。
【発明の効果】
【００１３】
本発明の粉粒体の切出し装置によれば、粉粒体を投入する内部空間を有し、上端に投入口が開口されるとともに、下端に排出口が開口されたホッパ体と、ホッパ体の内部空間に配置され、投入される粉粒体の落下空隙を形成し、任意の立体形状で中空に形成された中空体で表面にフィルタが設けられた粉粒体の粉塵吸引用の立体形状フィルタと、立体形状フィルタに連通接続されて立体形状フィルタの表面に粉塵を担持させる吸引装置と、を含むことから、ホッパ体の内部空間で粉粒体が落下する経路中及び粉粒体からの粉塵が下から上に外部に向けて逆流する経路中に立体形状のフィルタが配置されるので、粉塵の捕集機能が高く効率的に集塵して、外部へ粉塵が飛散して発塵するのを良好に防止できる。その結果、作業者の健康被害、作業環境の悪化や粉塵爆発等を良好に防止できる。さらに、装置全体をコンパクトに製造することができる。よって、例えば、粉粒体の投入作業や点検、メンテナンス等の作業をスムーズにかつ安全に行うことができるうえ、コストも安い。
【００１４】
また、粉粒体の投入上流側であって立体形状フィルタの上方位置に、上から下に向けて流れ落ちる粉粒体が立体形状フィルタに直接当たるのを防ぐカバー体が設けられた構成とすることにより、ホッパ体の内部空間に配置される立体形状フィルタに粉粒体が堆積して粉塵の吸引、捕集能力が低下したり、該立体形状フィルタが早期に損傷したりするのを防止して、フィルタによる粉塵の集塵機能を長期的に維持できる。
【００１５】
また、カバー体は、山形状に形成されて立体形状フィルタの上方に配置される山形状板と、山形状板の下端から略鉛直方向に直状に延設された側板と、を有する山形状カバー部材からなる構成とすることにより、山形状板により粉粒体の流れ落ちをスムーズにガイドするとともに、立体形状フィルタの上方と側方をカバーして確実に立体形状フィルタを保護できる。さらに、構造が簡単で低コストで製造できるカバー体を具体的に実現できる。
【００１６】
また、立体形状フィルタは、横方向を長手方向として設けられ、一端側を吸引装置に連通接続した筒状フィルタからなる構成とすることにより、ホッパ体の限られた内部空間において粉粒体の落下空隙の確保と、フィルタによる粉塵吸引を実効する配置面積の確保と、を簡単な構成で効率良く実現することができる。
【００１７】
また、筒状フィルタは、中空筒状に形成される濾布と、濾布の筒状内側に配置され、濾布を所定の筒状形状に保持する剛性素材製の保形部材と、で構成されたことにより、筒状フィルタを簡単な構造で低コストで製造することができる。また、フィルタとして機能する濾布のみを簡単に着脱交換することもでき、メンテナンス等も円滑に行うことができる。
【００１８】
また、立体形状フィルタの内部に連通状態で噴出口を向けられたノズルとノズルに圧縮空気を送る圧縮機とを含み、立体形状フィルタ内部に圧縮空気を所定の短時間だけ噴出させて該立体形状フィルタに担持された粉塵を離脱させて下に落とす離脱落下機構を備えた構成とすることにより、立体形状フィルタの表面に粉塵が集塵、担持されてフィルタの目が覆い塞がれる場合に、効果的に粉塵を該フィルタから離脱、落下させて集塵力を回復させることができる。
【図面の簡単な説明】
【００１９】
【図１】本発明の第１の実施形態に係る粉粒体の切出し装置の一部を切り欠いて示した斜視図である。
【図２】図１の粉粒体の切出し装置の正面図である。
【図３】図１の粉粒体の切出し装置の側面図である。
【図４】図３の粉粒体の切出し装置のＡ−Ａ線断面図である。
【図５】図２の粉粒体の切出し装置のＢ−Ｂ線断面図である。
【図６】図１の粉粒体の切出し装置の立体形状フィルタの一部を切欠いて示した説明図である。
【図７】図１の粉粒体の切出し装置の作用説明図である。
【発明を実施するための形態】
【００２０】
以下添付図面を参照しつつ本発明の粉粒体の切出し装置の実施形態について説明する。本発明に係る粉粒体の切出し装置は、例えば、ベルトコンベア、バケットコンベア等の搬送装置やサイロ等の貯留装置、ミキサーやブレンダー等の混合装置等に小麦、大麦その他の穀物、食料や飼料、セメント、砕石、金属粉等の粉粒体を切出し供給する装置であり、粉粒体を投入する際に該粉粒体の微細な粒子からなる粉塵が外部空気中に飛散して発塵するのを防止又は抑制するものである。図１ないし図７は、本発明の粉粒体の切出し装置の一実施形態を示している。本実施形態において、粉粒体の切出し装置１０は、図１、図２、図３に示すように、ホッパ体１２と、立体形状フィルタ１４と、吸引装置１６と、を含む。
【００２１】
ホッパ体１２は、内部に投入された粉粒体を目的の搬送装置等に所定の量ずつ排出して供給する切出し手段本体である。図１、図２、図３に示すように、ホッパ体１２は、粉粒体が投入されて所定量を貯留しうる内部空間１８を有しており、内部空間１８に連通して上端に投入口２０が開口されるとともに、同内部空間１８に連通して下端に排出口２２が開口されている。ホッパ体１２に投入口２０から粉粒体を投入すると、該粉粒体は内部空間１８を重力によって上から下に向けて流れ落ち、内部空間１８に貯留され或いは排出口２２から排出される。なお、ホッパ体１２下端の排出口２２は常時開口されていてもよいし、排出口２２を開閉する蓋を設けて排出量を調整できる構成でもよい。ホッパ体１２は、例えば、ステンレス等の金属からなり、周壁で四周を囲む四角筒状又は箱状の上部１２ａと、上部１２ａの下端に連設され内部連通するとともにホッパ体下端の排出口２２に向けて次第に横断面開口が狭くなるテーパ状のテーパ下部１２ｂと、で構成されている。さらに、ホッパ体１２は、支持脚２４を介して直接的又は間接的に支持され、排出口２２を所要の高さに配置している。なお、本実施形態では、ホッパ体１２は、例えば、ベルトコンベア等の搬送装置１００の搬送面上に排出口２２を臨ませて該搬送装置１００上に支持され、必要量の粉粒体を搬送装置１００に切出し供給するように設置されている。
【００２２】
図４、図５に示すように、ホッパ体１２の投入口２０には、ホッパ体１２の上端から内部空間１８に向けて次第に開口を狭くしてテーパ状に設けられたガイド板２６が形成されている。ホッパ体１２の内部空間１８内のガイド板２６の下端近傍には、粉粒体を通過する隙間の金属製の格子２８が設けられている。ホッパ体１２のテーパ下部１２ｂの内部空間には、テーパ下部の上端から中央側に下り傾斜してせり出した返し部３０が設けられている。返し部３０は、図５の破線矢印に示すように、ホッパ体１２のテーパ下部側の内部空間で発生した粉粒体の粉塵のうち壁面側に沿って上昇する粉塵を抑制して下降向きとさせうる。
【００２３】
立体形状フィルタ１４は、ホッパ体１２の内部空間１８に配置された粉塵吸引用のフィルタ手段であり、後述の吸引装置１６からの吸引力を利用して粉粒体からの粉塵を捕集し担持する集塵手段である。立体形状フィルタ１４と吸引装置１６とにより発塵抑制手段を構成しているといえる。図１、図４、図５に示すように、立体形状フィルタ１４は、ホッパ体１２の内部空間において、投入される粉粒体の落下空隙３２を形成するような大きさ、形状及び配置態様となる任意の立体形状で、中空に形成される中空体からなるとともに、該立体形状の表面に粉塵を捕集するための目の細かいフィルタが設けられている。本実施形態では、立体形状フィルタ１４は、例えば、ホッパ体１２の内部空間１８において上下中間位置で格子２８の下方位置に配置され、横方向を長手方向とした中空円筒形状で設けられた筒状フィルタ３４からなる。筒状フィルタ３４は、円筒周壁と一端面とがフィルタで形成され、もう一方の一端が吸引経路部３６を介して吸引装置１６に連通接続されている。筒状フィルタ３４は、例えば、複数（本実施形態では３つ）がホッパ体１２の上部１２ａの内部空間１８に、同じ高さ位置で互いに離隔して略平行状に並設されて、該内部空間１８を横切るように並設されている。筒状フィルタ３４どうしの間の離隔空隙および筒状フィルタ３４とホッパ本体１２の内壁との間の離隔空隙が粉粒体の落下空隙３２となる。筒状フィルタ３４は、筒中心軸方向を水平横向きとし、ホッパ本体１２の内壁に固定された支持部材４４で該横向きの配置状態を保持しながら支持されている。筒状フィルタ３４の一端は、ホッパ体１２の内壁から内側に向けて管状に突設された受口部としてフィルタ取付部３８に着脱可能に装着される。フィルタ取付部３８は、例えば、ホッパ体１２の周壁を貫通して内部に空気が流れる流路が形成されており、ホッパ体１２の外部に付設された箱型チャンバ状の合流部４０に連通接続される。
【００２４】
さらに詳細には、本実施形態では、筒状フィルタ３４は、図６にも示すように、中空円筒状に形成される濾布４６と、濾布４６の筒状内側に配置されて可撓性の濾布４６を所定の筒状形状に保持する保形部材４８と、で構成されている。
濾布４６は、例えば、ナイロン、テフロン（登録商標）、テトロン（登録商標）等の合成樹脂の織布又は不織布等で形成され、一方に長い筒袋状に設けられている。保形部材４８は、例えば、金属や硬質合成樹脂等の剛性素材製からなり、比較的空隙が大きいメッシュの格子網状で周壁部分が形成された網筒状で形成されている。筒状フィルタ３４は、内側に金網筒体、外側に濾布との二重筒状に構成されており、立体形状のフィルタが製造しやすくなっている。
【００２５】
吸引装置１６は、負圧吸引力を発生させる負圧吸引手段であり、立体形状フィルタ１４に直接的又は間接的に連通接続されて立体形状フィルタ１４の表面に粉塵を担持させる。図２、図３、図５に示すように、吸引装置１６は、例えば、モータに取り付けられた回転ファンの回転により負圧吸引力を生じさせるターボファン等の吸引ファン装置からなり、吸引装置の吸気部１６ａ側に吸引経路部３６を介して３つの筒状フィルタ３４を並列的に連通接続している。吸引経路部３６は、例えば、吸引装置１６の吸引口に一端に連通接続された略コ字状に屈曲された吸引管４２と、吸引管４２の他端に内部を連通して接続された箱型チャンバ状の合流部４０と、合流部４０から３つに分岐するように連通接続されてホッパ体１２の内部空間１８に突設したフィルタ取付部３８と、を含む。合流部４０は、例えば、ステンレス等の金属製で中空箱型に形成され、３つの筒状フィルタ３４を１つの吸引装置１６の負圧経路に共通した共通路となっている。合流部４０は、箱状の周壁の一部をホッパ体１２と一体的に固定されるとともに支持脚２４で支持されている。例えば、チャンバ状の合流部４０上に吸引装置１６が設置台４３を介して一体的に設置されている。吸引装置１６で吸引した空気は排気部１６ｂから外気に開放される。なお、吸引装置１６の排気部１６ｂに所定の排気空間に導くこととしてもよい。また、合流部４０は、チャンバ状に限らず分岐管等で構成してもよい。
【００２６】
図４、図５に示すように、ホッパ体１２の内部空間１８の粉粒体の投入上流側であって筒状フィルタ３４の上方位置に、上から下に向けて流れ落ちる粉粒体が筒状フィルタ３４に直接当たるのを防ぐカバー体５０が設けられている。筒状フィルタ３４に直接粉粒体が当たると、筒状フィルタが早期に損傷したり、筒状フィルタ３４に粉粒体が堆積して粉塵の捕集能力が低下したりするおそれがあることから、カバー体５０により筒状フィルタ３４を覆って保護しうる筒状フィルタの保護手段として機能する。カバー体５０は、筒状フィルタ３４の粉塵吸引を保持できるように開口５６部分を確保した状態でカバーする。本実施形態では、カバー体５０は、図６にも示すように、例えば、ステンレス等の金属板を曲折又は溶接して形成されており、断面形状が山形状に形成されて立体形状フィルタ３４の上方に配置される山形状板５２と、山形状板５２の下端から略鉛直方向に直状に延設された側板５４と、を有するとともに下面側を開口５６した山形状カバー部材からなる。カバー体５０は、筒状フィルタ３４の長手方向長さと略同じ長さに設定される。よって、カバー体５０は下面側全体を開放した略五角筒状に設けられており、カバー体の内部に筒状フィルタ３４を収容状に配置させ、開口５６を介して筒状フィルタ３４を内部空間１８に直接臨ませている。
【００２７】
本実施形態では、図２、図３、図５に示すように、粉塵吸引用の筒状フィルタ３４に担持された粉塵を離脱させて下に落とす離脱落下機構５８を備えている。離脱落下機構５８は、筒状フィルタ３４が粉塵を集塵してフィルタの目が覆い塞がれた場合に粉塵を落として粉塵吸引力を回復させる集塵力復帰手段ともいえる。離脱落下機構５８は、それぞれの筒状フィルタ３４の内部に連通状態で噴出口を向けられたノズル６０と、ノズル６０に圧縮空気を送る圧縮機６２と、を含む。ノズル６０は、例えば、基部側が圧縮機６２からの配管６４に接続連通されるとともに合流部４０の内部に貫通して配置され、先端側の噴出口を各筒状フィルタ３４の一端側の開口に臨ませている。圧縮機６２は、例えば、支持脚２４の上下中間位置に設置された制御用のコントローラ６６に電気的に接続されて制御されており、圧縮空気の供給時間やタイミングが設定される。圧縮機６２による圧縮空気の時間は、吸引装置により常時作用する負圧吸引力に対して極短い時間、例えば、０．１秒から数秒程度のパルス状に設定されている。離脱落下機構５８は、筒状フィルタ３４内部に圧縮機６２からの圧縮空気を所定の短時間だけ噴出させることにより、吸引装置による負圧吸引力とは逆方向の圧縮空気による強い流れを瞬間的に生じさせて筒状フィルタ３４の表面から粉塵を離脱させる。この際、上記したカバー体５０により筒状フィルタの上方及び側方はカバーされているので、筒状フィルタより離脱した粉塵が広く飛散されるのを防止できる。カバー体５０は、筒状フィルタからの粉塵の飛散防止機能も兼用している。
【００２８】
次に、粉粒体の切出し装置１０の作用について説明する。例えば、粉粒体の切出し装置１０は、図２、図３に示すように、ベルトコンベア等の搬送装置１００の上に設置されており、袋体中に封入された粉粒体を投入する場合について説明する。図７に示すように、例えば、袋体ＢＧに封入された小麦粉等の粉粒体Ｍを開封して、投入口２０からホッパ体１２に投入すると、格子２８を通って内部空間１８を上から下に落下する。粉粒体Ｍは、直接に或いは山形状のカバー体５０にガイドされながら落下空隙３２を通って下方に流れ落ちる。この際、カバー体５０により、筒状フィルタ３４には直接粉粒体が当たるのを防止される。よって、筒状フィルタ３４が早期に損傷したりフィルタに粉粒体が堆積するのを防止できる。ホッパ体１２内の粉粒体は必要に応じてホッパ体１２の下端の排出口２２から搬送装置１００に所定量が切出し供給される。ホッパ体１２の内部空間１８では、粉粒体中の軽い微粒子からなる粉塵がホッパ体１２の内部空間１８を下から上に逆流して飛散しようとするが、吸引装置１６の負圧吸引力により強制的に筒状フィルタ３４に向けた空気の流れ（一点鎖線Ｆ）によって空気とともに該粉塵は吸引され、筒状フィルタ３４の表面に捕集されて担持される。これにより、粉粒体の落下を妨げることなく該内部空間１８で下から上に逆流する粉塵を効率良く捕集、担持することができ、粉塵の外部への飛散抑制効果を向上することができる。また、発塵抑制機能を有する切出し装置全体をコンパクトに製造できる。そのうえ、従来と比較して吸引装置の吸引能力も低くても効率的に吸引できるので、部品コスト及び消費電力を抑えることができる。なお、筒状フィルタ３４により粉塵をろ過されて内部に流れる空気は、負圧経路部３６を通って吸引装置１６の排気部１６ｂから排気される。筒状フィルタ３４に大量の粉塵が担持されて捕集能力が低下してきた場合には、離脱落下機構５８により、筒状フィルタ３４の内部に圧縮空気をパルス状に所定の短時間だけ噴出させて粉塵集塵用の筒状フィルタ３４に担持された粉塵を離脱させて下に落とす。これにより、筒状フィルタのフィルタ機能を復帰して、良好に粉塵の外部への飛散機能効果を向上することができる。
【００２９】
以上説明した本発明の粉粒体の切出し装置は、上記した実施形態のみの構成に限定されるものではなく、特許請求の範囲に記載した本発明の本質を逸脱しない範囲において、任意の改変を行ってもよい。例えば、筒状フィルタ３４は、円筒形状に限らず、例えば、楕円筒状、三角筒状、四角筒状、多角形筒状、その他の任意形状の筒状でもよい。また、立体形状フィルタ１４は、ホッパ体の内部空間に粉粒体の落下空隙３２を形成する立体形状であれば筒状に限らず、例えば、箱型ケース状、球体状、楕円球状、半球状、その他任意の立体形状で形成してもよい。立体形状フィルタ１４は、ホッパ体１２の内部空間１８に１つ又は２つ以上の複数個設置してもよい。また、立体形状フィルタ１４は、立体形状の表面全部をフィルタとしてもよいし、例えば、下面側のみ等の一部分のみにフィルタを設けることとしてもよい。また、上記実施形態では、粉粒体の切出し装置１０に袋体から粉粒体を投入する場合で説明したが、これに限らず、例えば、ベルトコンベアやチェーンコンベア、バケットコンベア等の搬送装置、サイロ等の貯留装置、投入シュータ等を利用して粉粒体を切出し装置１０内に投入することとしてもよいし、トラックや運搬車の荷台から直接粉粒体を投入しても良く、その他粉粒体を投入する任意の場面で、該切出し装置を利用して、外部への粉塵の飛散を抑制できる。また、粉粒体の切出し装置１０は、粉粒体を搬送装置１００に供給するのに利用する場合に限らず、例えば、サイロ等の貯留装置やミキサー等の混合装置に粉粒体を投入する場合や、トラック、運搬車、荷車、船舶等に粉粒体を荷積みする場合、その他任意のものに粉粒体を供給又は投入する場合に適用してもよい。また、粉粒体の切出し装置１０は、粉粒体を供給する目的の搬送装置や貯留装置等の装置とは別体で構成されていてもよいし、それらの供給目的の装置の投入口に投入装置、粉塵抑制装置として一体的に取り付けられていてもよい。
【産業上の利用可能性】
【００３０】
本発明の粉粒体の切出し装置は、例えば、穀物や食品、飼料、セメント、砕石、石炭、金属粉、その他の粉粒体を切出し供給するのに好適に適用できる。
【符号の説明】
【００３１】
１０    粉粒体の切出し装置
１２    ホッパ体
１４    立体形状フィルタ
１６    吸引装置
１８    中空空間
２０    投入口
２２    排出口
３２    落下空隙
３４    筒状フィルタ
４６    濾布
４８    保形部材
５０    カバー体
５２    山形状板
５４    側板
５８    離脱落下機構
６０    ノズル
６２    圧縮機
【図１】
2014118215.tif 000003
【図２】
2014118215.tif 000004
【図３】
2014118215.tif 000005
【図４】
2014118215.tif 000006
【図５】
2014118215.tif 000007
【図６】
2014118215.tif 000008
【図７】
2014118215.tif 000009